(57)【特許請求の範囲】
【請求項１】
利用者端末から送信される，上記利用者端末において比較された他店舗で販売されている一または複数の比較商品についての他店舗商品情報を受信する第１の受信手段，
自店舗で販売されている複数の商品についての自店舗商品情報を記憶する第１の記憶手段，
上記第１の受信手段によって受信された他店舗商品情報に基づいて，自店舗で販売されている上記比較商品と同一の商品についての自店舗商品情報を上記第１の記憶手段から抽出する抽出手段，ならびに
上記抽出手段によって抽出された自店舗商品情報を店員端末に送信する第１の送信手段を備え，
上記他店舗商品情報は一または複数の比較商品のそれぞれについての順位データおよび一または複数の比較仕様項目を含み，上記比較仕様項目のそれぞれにプラス評価データまたはマイナス評価データのいずれかが含まれており，
上記抽出手段は，上記比較商品と同一の商品のうち高順位の商品についての自店舗商品情報を上記第１の記憶手段から抽出し，かつ上記比較商品と異なりかつ上記比較商品と類似する商品についての自店舗商品情報を，上記プラス評価データを含む比較仕様項目について同等またはそれ以上の仕様を備える商品の中から抽出するものであり，
複数の上記利用者端末のそれぞれにおいて比較された他店舗で販売されている一または複数の比較商品についての他店舗商品情報，および複数の上記利用者端末のそれぞれにおいて比較された自店舗で販売されている一または複数の比較商品についての自店舗商品情報を蓄積する第２の記憶手段，
上記第２の記憶手段に記憶された他店舗商品情報および自店舗商品情報の少なくともいずれか一方を用いて，比較商品ごとに所定期間内の比較回数を集計する集計手段，ならびに
上記集計手段によって集計された比較商品ごとの所定期間の比較回数を表示するためのデータを作成する比較回数表示データ作成手段，
をさらに備えている，
店舗管理装置。
【請求項２】
上記第１の送信手段は，上記他店舗商品情報および上記自店舗商品情報の両方を含む商品情報を店員端末に送信するものである，
請求項１に記載の店舗管理装置。
【請求項３】
上記第１の受信手段は，利用者端末から送信される上記他店舗商品情報と，上記利用者端末の利用者の画像情報とを受信するものであり，
上記他店舗商品情報と利用者画像情報とを関連づけて記憶する第３の記憶手段，
上記第３の記憶手段に記憶されている複数の利用者画像情報を上記店員端末に送信する第２の送信手段，および
上記店員端末から送信される，上記複数の利用者画像情報のうちのいずれかを特定するデータを受信する第２の受信手段をさらに備え，
上記抽出手段は，上記第１の受信手段によって受信される他店舗商品情報のうち，上記第２の受信手段によって受信される特定データによって特定される利用者画像情報に関連づけられて上記第３の記憶手段に記憶されている他店舗商品情報を自店舗商品情報の抽出に用いるものである，
請求項１に記載の店舗管理装置。
【請求項４】
上記他店舗商品情報は他店舗販売価格を含み，上記自店舗商品情報は自店舗販売価格を含む，
請求項１から３のいずれか一項に記載の店舗管理装置。
【請求項５】
受信手段によって，利用者端末から送信される，上記利用者端末において比較された他店舗で販売されている一または複数の比較商品についての他店舗販売価格を含む他店舗商品情報を受信し，
抽出手段によって，受信した他店舗商品情報に基づいて，記憶手段に記憶されている自店舗で販売されている複数の商品についての自店舗商品情報の中から，自店舗で販売されている上記比較商品と同一の商品についての自店舗販売価格を含む自店舗商品情報を抽出し，
送信手段によって自店舗商品情報を店員端末に送信する店舗管理装置の制御方法であって，
上記他店舗商品情報は一または複数の比較商品のそれぞれについての順位データおよび一または複数の比較仕様項目を含み，上記比較仕様項目のそれぞれにプラス評価データまたはマイナス評価データのいずれかが含まれており，
上記抽出手段は，上記比較商品と同一の商品のうち高順位の商品についての自店舗商品情報を上記記憶手段から抽出し，かつ上記比較商品と異なりかつ上記比較商品と類似する商品についての自店舗商品情報を，上記プラス評価データを含む比較仕様項目について同等またはそれ以上の仕様を備える商品の中から抽出するものであり，
複数の上記利用者端末のそれぞれにおいて比較された他店舗で販売されている一または複数の比較商品についての他店舗商品情報，および複数の上記利用者端末において比較された自店舗で販売されている一または複数の比較商品についての自店舗商品情報を記憶装置に蓄積し，
集計手段によって，記憶装置に蓄積された他店舗商品情報および自店舗商品情報の少なくともいずれか一方を用いて，比較商品ごとに所定期間内の比較回数を集計し，
比較回数表示データ作成手段によって，上記集計された比較商品ごとの所定期間の比較回数を表示するためのデータを作成する，
店舗管理装置の制御方法。
【発明の詳細な説明】
【技術分野】
【０００１】
この発明は店舗管理装置およびその制御方法に関する。
【背景技術】
【０００２】
電気店，スーパー，百貨店などでは，一般に同種の商品について様々なメーカから提供される多種多様な商品が販売されている。消費者はその中からいずれの商品を購入するかを決める。その判断基準は，値段，デザイン，性能など，顧客ごとに異なるのが一般的である。
【０００３】
特許文献１は，複数の商品のそれぞれのスペック項目の内容を一覧に表示するシステムであって，一覧に表示するときにスペック項目の優位性を利用する商品比較情報表示システムを記載する。商品にＩＣタグがつけられており，店舗内に設置されたデータ処理端末によってＩＣタグのＩＤが読み取られる。データ処理端末のデータ記憶部にはＩＤとともに複数のスペック項目の内容とその優位性を示すデータが記憶されている。複数の商品のスペック項目の内容を一覧に表示するときに，優位性を示すデータによって商品の表示順が並び替えられる。
【先行技術文献】
【特許文献】
【０００４】
【特許文献１】特開２００８−８３７７１号公報
【０００５】
しかしながら，値段を重要視する消費者もいれば，値段よりもデザインを重要視する消費者もいる。商品を選択するときに重要視するスペック項目は，必ずしもすべての消費者について同じではなく，固定的なものでもない。優位性の順序で商品を並べても，それが商品を選択するときの消費者に対する適切な提案ないしアドバイスには必ずしもつながらない。
【０００６】
また，消費者によっては複数の店舗をまわって同一商品の店舗ごとの値段を見比べることがある。複数の店舗をまわっている消費者がどのような商品をどのような観点で探しているのかを店員が把握することができれば，店員は消費者に対して商品の紹介やアドバイスをしやすくなる。さらにはたとえば消費者によってまだ検討されていない商品の存在が分かれば，その商品を消費者に提案（紹介）することができ，商品を購入してもらえるチャンスが広がる。
【発明の開示】
【０００７】
この発明は，購入すべき商品を検討している消費者に対して，商品を提案しやすくすることを目的とする。
【０００８】
この発明による店舗管理装置は，利用者端末から送信される，上記利用者端末において比較された他店舗で販売されている一または複数の比較商品についての他店舗商品情報を受信する第１の受信手段，自店舗で販売されている複数の商品についての自店舗商品情報を記憶する第１の記憶手段，上記第１の受信手段によって受信された他店舗商品情報に基づいて，自店舗で販売されている上記比較商品と同一の商品についての自店舗商品情報，および自店舗で販売されている商品のうち上記比較商品と異なりかつ上記比較商品と類似する商品についての自店舗商品情報の少なくとも一方を上記第１の記憶手段から抽出する抽出手段，ならびに上記抽出手段によって抽出された自店舗商品情報を店員端末に送信する第１の送信手段を備えている。
【０００９】
この発明による店舗管理装置の制御方法は，受信手段によって，利用者端末から送信される，上記利用者端末において比較された他店舗で販売されている一または複数の比較商品についての他店舗商品情報を受信し，抽出手段によって，受信手段によって受信された他店舗商品情報に基づいて，記憶手段に記憶されている自店舗で販売されている複数の商品についての自店舗商品情報の中から，自店舗で販売されている上記比較商品と同一の商品についての自店舗商品情報，および自店舗で販売されている商品のうち上記比較商品と異なりかつ上記比較商品と類似する商品についての自店舗商品情報の少なくとも一方を抽出し，送信手段によって自店舗商品情報を店員端末に送信するものである。
【００１０】
利用者端末が用いられて商品比較が行われる。比較商品の商品情報が利用者端末に入力される。
【００１１】
この発明において店舗は他店舗と自店舗の２種類に分類される。他店舗と自店舗とは販売組織（会社）が異なる店舗であることを意味する。他店舗をまわって他店舗で販売されている商品を比較するときに，利用者端末に比較商品についての他店舗商品情報が入力される。
【００１２】
一実施態様では，利用者端末には，商品識別データ，ならびに商品識別データによって識別される商品が備える複数の仕様項目およびその内容を表すデータを含む商品情報が記憶されたＩＣ（Integrated Circuit）タグから商品情報を読み出すＩＣタグ・リーダが設けられる。利用者端末をＩＣタグに近づけることによって他店舗商品情報を利用者端末に入力することができる。
【００１３】
仕様項目の数が多い場合にはそのうちの一部の仕様項目の選択を受け付け，選択された一部の仕様項目についての他店舗商品情報を利用者端末に入力するようにしてもよい。多くの仕様項目のうちの利用者端末のユーザが着目する仕様項目およびその内容を，利用者端末に入力することができる。
【００１４】
この発明によると，自店舗で販売されている上記比較商品と同一の商品についての自店舗商品情報および／または自店舗で販売されている商品のうち上記比較商品と異なりかつ上記比較商品と類似する商品についての自店舗商品情報が店員端末に送信されるから，店員は，利用者が比較検討している商品を把握することができるとともに，他店舗では検討されなかった商品をスムーズに利用者に提案（紹介）することができる。自店舗を訪問した利用者に対して商品の販売促進を行いやすくすることができる。
【００１５】
好ましくは，上記送信手段は，上記他店舗商品情報および上記自店舗商品情報の両方を含む商品情報を店員端末に送信するものである。利用者端末において比較された他店舗で販売されている一または複数の比較商品についての他店舗商品情報が店員端末に送信されるので，どの商品同士が他店舗で比較されたかを，店員端末を持つ店員は把握することができる。
【００１６】
好ましくは，上記第１の受信手段は，利用者端末から送信される上記他店舗商品情報と，上記利用者端末の利用者の画像情報とを受信するものであり，上記店舗管理装置は，上記他店舗商品情報と利用者画像情報とを関連づけて記憶する第２の記憶手段，上記第２の記憶手段に記憶されている複数の利用者画像情報を上記店員端末に送信する第２の送信手段，および上記店員端末から送信される，上記複数の利用者画像情報のうちのいずれかを特定するデータを受信する第２の受信手段をさらに備え，上記抽出手段は，上記第１の受信手段によって受信される他店舗商品情報のうち，上記第２の受信手段によって受信される特定データによって特定される利用者画像情報に関連づけられて上記第２の記憶手段に記憶されている他店舗商品情報を自店舗商品情報の抽出に用いるものである。店員端末に複数の利用者画像を表示させることができ，その中から選択された利用者が比較した商品についての自店舗商品情報を店員端末に送信することができる。
【００１７】
他の実施態様では，他店舗商品情報は他店舗商品販売価格を含み，自店舗商品情報は自店舗商品販売価格を含む。価格の面で他店舗に競合することができるかどうかを店員は把握することができる。
【００１８】
一実施態様では，上記他店舗商品情報は一または複数の比較商品のそれぞれについての順位データを含む。順位データは利用者端末を用いて利用者によって入力される。複数の比較商品が比較されている場合に，そのうちのいずれの商品を利用者端末の利用者が興味を持っているかを店員は知ることができる。
【００１９】
好ましくは，上記抽出手段は，上記比較商品と同一の商品のうち高順位の商品についての自店舗商品情報を記憶手段から抽出するものである。比較商品が複数存在する場合に，購入希望の高い比較商品ついての自店舗商品情報を店員に示すことができる。
【００２０】
他の実施態様では，上記他店舗商品情報は一または複数の比較仕様項目を含み，上記比較仕様項目のそれぞれに，プラス評価データまたはマイナス評価データのいずれかが含まれている。プラス評価データおよびマイナス評価データは利用者端末を用いて利用者によって入力される。商品が備える複数の仕様項目のうち，いずれの仕様項目を利用者が重要視しているかを店員は把握することができる。
【００２１】
好ましくは，上記抽出手段は，上記比較商品と異なりかつ上記比較商品と類似する商品を，上記プラス評価データを含む比較仕様項目について同等またはそれ以上の仕様を備える商品の中から抽出するものである。これにより利用者が重要視する仕様項目について同等またはそれ以上の仕様を持つ商品が店員に知らされることになる。他店舗で比較されていない，購入してもらえる可能性の高い商品を利用者に勧めることができる。
【００２２】
第２の発明による店舗管理装置は，利用者端末から送信される，上記利用者端末において比較された一または複数の比較商品についての商品情報（他店舗商品情報，自店舗商品情報）を受信する受信手段，複数の利用者端末から送信される上記商品情報を記憶する記憶手段，上記記憶手段に記憶された商品情報に基づいて，一または複数の比較商品のそれぞれの比較回数を集計する集計手段，および上記集計手段によって集計された比較商品ごとの比較回数を表すグラフ・データを作成するグラフ・データ作成手段を備えている。いずれの商品に多くの利用者が高い興味を持っているのかを分析することができる。
【図面の簡単な説明】
【００２３】
【図１】商品提案システムの全体構成を示す。
【図２】ＩＣタグのメモリに記憶されているデータの一例を示す。
【図３】利用者端末の処理の流れを示すフローチャートである。
【図４】比較仕様項目チェック画面を示す。
【図５】比較表が表示されている様子を示す。
【図６】複数の個別商品について比較仕様項目が追加された状態の対比表を示す。
【図７】利用者端末，店頭端末機，店舗管理サーバおよび店員端末のそれぞれの処理を示すフローチャートである。
【図８】商品情報データベースを示す。
【図９】提案表を含む店員用画面を示す。
【図１０】利用者画像一覧画面を示す。
【図１１】比較された個別商品のそれぞれの比較回数を示すグラフである。
【実施例】
【００２４】
図１は商品提案システムの全体構成を示している。
【００２５】
商品提案システムは，利用者（消費者）端末１，店員端末２，および店舗管理サーバ・コンピュータ３（以下，店舗管理サーバ３という），および店頭端末機６から構成される。
【００２６】
利用者端末１は，商品を比較（対比）する利用者（消費者）によって使用されるもので，たとえばスマートフォンである。利用者端末１は中央演算ユニット（ＣＰＵ），メモリ，記憶装置，通信装置，ＩＣ（Integrated Circuit）タグ・リーダ，表示装置等を備える。後述するように，利用者端末１の表示装置の表示画面に，利用者が比較検討している複数の商品の商品名，仕様項目およびその内容，価格などが一覧に表示される。利用者は，利用者端末１の表示画面に表示される一覧を見て，複数の商品の仕様を比較検討し，購入する商品を決定することになる。
【００２７】
店員端末２は，商品を販売する店舗の店員によって使用されるもので，たとえばタブレット端末である。店員端末２もＣＰＵ，メモリ，記憶装置，通信装置，表示装置等を備える。後述するように，店員端末２の表示装置の表示画面には，利用者が他店舗で比較検討した複数の商品の商品名，仕様項目およびその内容，価格など（他店舗商品情報）に加えて，その店員が属する自店舗が販売している同一商品ないし関連商品の商品名，仕様項目およびその内容，価格など（自店舗商品情報）が追加表示される。店員は，店員端末２の表示画面の表示を見て，利用者が比較検討している商品，仕様などを確認することができるとともに，その利用者に対して提案すべき商品（その店舗の取り扱い商品）を確認することができる。
【００２８】
店舗管理サーバ３は，後述するように，上述した提案商品を決定（選択，抽出）して，提案商品に関する情報を店員端末２に送信する処理を実行する。店舗管理サーバ３もＣＰＵ，メモリ，記憶装置，通信装置等を備えている。記憶装置に記憶されているプログラムおよびデータにしたがって，店舗管理サーバ３において上述した提案商品の決定処理等が実行される。
【００２９】
店頭端末機６は，店舗の入り口に設置されるもので，利用者が比較検討している複数の商品の商品名，仕様項目およびその内容，価格など（後述する比較表データ）を入力するために用いられる。店頭端末機６は近距離通信装置８を備えており，ユーザが店頭端末機６の近距離通信装置８に利用者端末１を近づけることによって，比較表データが利用者端末１から読み出されて店頭端末機６に送信される。また，店頭端末機６は，店頭端末機６を利用している利用者の顔写真を撮像する撮像装置７も備えている。
【００３０】
店舗で販売されている商品にはＩＣ（Integrated Circuit）タグ（ＲＦ（Radio Frequency ）タグ）が固定されている。図１には複数の薄型テレビ４ａ，４ｂ，・・・，４ｎのそれぞれにＩＣタグ５ａ，５ｂ，・・・，５ｎがそれぞれ固定されている様子が示されている。
【００３１】
図２はＩＣタグのメモリに記憶されているデータの一例を示している。
【００３２】
ＩＣタグのメモリには，同種商品識別情報，個別商品識別情報および個別商品仕様情報を表すデータが記憶されている。
【００３３】
「同種商品識別情報」は複数の個別商品を包括的に識別（特定）する情報であり，たとえば同種商品名「液晶テレビ」を用いることができる。もちろん，番号，符号など，他の識別データ（同種商品識別データ）によって同種商品を識別してもよい。
【００３４】
「個別商品識別情報」は，個別商品のそれぞれを識別（特定）する情報であり，たとえば個別商品名「ＴＶ１」を用いることができ，これにより複数の薄型テレビ４ａ，４ｂ，・・・，４ｎのうちたとえば薄型テレビ４ａであることが特定される。もちろん薄型テレビの製造メーカが付与する製品番号等によって個別商品を識別してもよい。
【００３５】
「個別商品仕様情報」は，個別商品が備える複数の仕様項目およびその内容を表す。薄型テレビであれば，仕様項目には，「画面サイズ」，「解像度」，「出力端子数」，「チューナ数」，「録画機能の有無」，「ネットワーク機能の有無」，「消費電力」，「価格」などが含まれる。詳細は後述するが，個別商品が備える複数の仕様項目のうちの一つまたは複数が，利用者が同種商品の中から特定の個別商品を選ぶときに比較される項目（比較仕様項目）として用いられる。
【００３６】
図３は利用者端末１の処理の流れを示すフローチャートである。
【００３７】
はじめに利用者端末１の記憶装置に記憶されている商品比較アプリ（プログラム）が起動される（ステップ11）。以下に説明する利用者端末１の動作は，この商品比較アプリにしたがう処理である。
【００３８】
利用者は，店舗に陳列されている個別商品のうち，購入を検討している個別商品に利用者端末１を近づける。上述したように，個別商品にはＩＣタグ５ａ〜５ｎが固定されている。また，上述したように，利用者端末１にはＩＣタグ・リーダが設けられている。個別商品に固定されているＩＣタグ５ａ〜５ｎに記憶されているデータ（図２参照）が利用者端末１によって読み取られ，利用者端末１が備えるメモリまたは記憶装置に記憶される（ステップ12）。
【００３９】
ＩＣタグ５ａ〜５ｎから読み出される情報には，同種商品識別情報，個別商品識別情報および個別商品仕様情報が含まれる。利用者端末１は，ＩＣタグから読み出した情報を用いて，比較仕様項目チェック画面を作成して表示する（ステップ13）。
【００４０】
図４は比較仕様項目チェック画面Ｗ１の一例を示している。比較仕様項目チェック画面Ｗ１は，同種商品識別情報（液晶テレビ）と，個別商品仕様情報に含まれる仕様項目（その名称）（画面サイズ，解像度など）およびチェックボックスの組とを含む。複数の個別商品を比較検討するにあたって，いずれの仕様項目を重要視するかが，この比較仕様項目チェック画面Ｗ１を用いて選択（チェック）される（ステップ14）。比較仕様項目チェック画面Ｗ１が用いられてＩＣタグから読み出された複数の仕様項目のうちの一部が選択されることになる。
【００４１】
図５を参照して，比較仕様項目チェック画面Ｗ１を用いて比較仕様項目を選択すると，同種商品名（液晶テレビ）と，順位欄，個別商品名，店舗名，比較仕様項目名およびその内容，値段等を含む比較表Ｗ２ａとを含む画面Ｗ２が，利用者端末１の表示画面に表示される。
【００４２】
比較表Ｗ２ａに含まれる店舗名（図５における「カワダ電気」）は利用者が商品比較を行っている店舗名である。店舗名は利用者が入力してもよいし，利用者端末１が備えるＧＰＳ機能等を用いて現在地を特定し，特定される現在地（たとえば緯度および経度）によって識別される店舗名（たとえば電気店名）を自動的に入力してもよい。もちろん，ＩＣタグに店舗名を記憶しておいてもよい。
【００４３】
また，比較表Ｗ２ａに含まれる順位欄は順位入力欄Ｗ２ｂを含む。順位入力欄Ｗ２ｂにはドロップダウンリストを用いて順位を表す数字が利用者によって任意のタイミングで入力される（ステップ19）。
【００４４】
ドロップダウンリストは比較仕様項目のそれぞれにも設けられる。比較仕様項目のドロップダウンリストは評価入力欄Ｗ２ｃであって，ここには「＋」または「−」のいずれかが入力される。利用者による評価が高評価である場合に「＋」（プラス評価）が，利用者による評価が低評価である場合に「−」（マイナス評価）がそれぞれ利用者によって任意のタイミングで入力される（ステップ19）。
【００４５】
次に，利用者は別の個別商品に利用者端末１を近づける。利用者端末１が近づけられた個別商品に固定されているＩＣタグから，上述と同様にして，同種商品識別情報，個別商品識別情報，および個別商品仕様情報が読み出され，利用者端末１によって読み取られる（ステップ15）。
【００４６】
ここで，ＩＣタグから読み出された同種商品識別情報が用いられて，比較可能な同種商品であるかどうかが判断される（ステップ16）。たとえば，最初に（ステップ12で）読み取られた同種商品識別情報が「液晶テレビ」であり，次に（ステップ15で）読み取られた同種商品識別情報も「液晶テレビ」であれば，同種商品識別情報が同じであるから，次の処理に進むことになる（ステップ16でYES ）。しかしながら，最初に（ステップ12で）読み取られた同種商品識別情報が「液晶テレビ」であり，ステップ15で読み取られた同種商品識別情報がたとえば「冷蔵庫」とすると，同種商品識別情報が一致しない。この場合には，利用者端末１は所定の処理を実行する（ステップ16でNO，ステップ17）。たとえば，同種商品に利用者端末１を近づけるように利用者を指示するメッセージを利用者端末１の表示画面に表示することができる。もちろん，冷蔵庫についての別の比較表を作成してもよい。
【００４７】
同種商品識別情報が一致すると，新たな個別商品について順位欄，個別商品名，店舗名，比較仕様項目名およびその内容，価格等を含むデータが追加された比較表を含む比較画面が利用者端末１の表示画面に表示される（ステップ18）。
【００４８】
図６は複数の個別商品についての商品情報が追加された状態の比較表Ｗ２ａを示している。
【００４９】
図６に示す比較表Ｗ２ａは，利用者がカワダ電気でＴＶ１，ＴＶ２，ＴＶ３およびＴＶ４の４つを比較し（ＩＣタグに利用者端末１を近づけ），さらにシーズデンキでもＴＶ１，ＴＶ２，ＴＶ３およびＴＶ４の４つを比較したときの状態を示している。利用者は比較表Ｗ２ａを見て，購入すべき商品，さらにはその販売店舗を検討することができる。
【００５０】
図７は利用者端末１と，店頭端末機６と，店舗管理サーバ３と，店員端末２のそれぞれの処理の流れを示すフローチャートである。
【００５１】
上述したように，商品提案システムでは，店員端末２の表示装置の表示画面に，利用者が比較検討している複数の商品の商品名，仕様項目およびその内容，価格など（他店舗商品情報）が表示されるとともに，これに加えて利用者によって商品比較が行われた店舗（他店舗）と異なる店舗である自店舗が販売している対抗商品の商品名，仕様項目およびその内容，価格など（自店舗商品情報）が表示される。店員は，店員端末２の表示画面の表示を見て，利用者が比較検討している商品，仕様などを確認することができるとともに，その利用者に対して提案（販売促進）すべき商品を確認することができる。
【００５２】
はじめに上述した比較表を表すデータが利用者端末１から店頭端末機６に送信される（ステップ21）。たとえば，利用者端末１を店頭端末機６の近距離通信装置８にかざすと，利用者端末１の記憶装置に記憶されている比較表データ（図６）が利用者端末１から読み出されて店頭端末機６に送信される。
【００５３】
比較表データを受信した店頭端末機６は，撮像装置７を起動して利用者端末１をかざしている利用者を撮像する（ステップ22，23）。利用者端末１から読み出された比較表データと撮像装置７によって得られた利用者画像データとは互いに関連づけられる。
【００５４】
比較表データおよび利用者画像データは，店頭端末機６から店舗管理サーバ３に送信される（ステップ24）。店舗管理サーバ３は比較表データおよび利用者画像データを受信すると，自店舗で販売している商品のうち，利用者に提案する商品の抽出（選択，決定）処理，および抽出商品を含む店員用データの作成処理に進む（ステップ25，26，27）。作成された店員用データは店舗管理サーバ３から店員端末２に送信されて店員端末２によって受信され，店員端末２の表示画面に店員用画面が表示される（ステップ28，29，30）。
【００５５】
図８は店舗管理サーバ３が備える記憶装置に記憶されている商品情報データベース３Ａを示している。
【００５６】
図８を参照して，商品情報データベース３Ａには，自店舗で販売されている多数の商品のそれぞれについて，商品名，販売店舗名，複数の仕様項目およびその内容，価格等を含む商品情報（自店舗商品情報）が記憶されている。店員用画面には，利用者によって作成される比較表データによって表される比較表（図６）に，店舗管理サーバ３によって選択される提案商品についての自店舗商品情報を追加した提案表Ｗ３が表示される。図９にはＴＶ１，ＴＶ２およびＴＶ５についての自店舗商品情報（太字で強調して示す）が追加された提案表Ｗ３が示されている。
【００５７】
提案表Ｗ３に追加される店舗管理サーバ３によって選択される提案商品は，たとえば比較表Ｗ２ａに含まれる順位が高い商品とすることができる。図６に示す比較表Ｗ２ａでは４つの個別商品ＴＶ１，ＴＶ２，ＴＶ３およびＴＶ４が２つの店舗（カワダ電気およびシーズデンキ）で比較検討されている。比較表Ｗ２ａに含まれる４つの比較商品ＴＶ１，ＴＶ２，ＴＶ３およびＴＶ４のうち，利用者によって付与された順位が高順位の比較商品，たとえばＴＶ１，ＴＶ２の２つの比較商品と同一の商品について，自店舗（ここでは「ＶＩＣカメラ」）における自店舗商品情報が追加される。同一商品であるから，追加される自店舗商品情報のうちの商品名および仕様は，他店舗（カワダ電気，シーズデンキ）の商品情報に含まれる商品名および仕様と同じであるのは言うまでもない。価格については自店舗（ＶＩＣカメラ）における販売価格が示されることになる。提案表Ｗ３に追加される自店舗商品情報に，店舗管理サーバ３が備える商品情報データベース３Ａにあらかじめ記憶されている自店舗商品情報（図８）が用いられる。
【００５８】
比較表Ｗ２ａに含まれる比較商品と同一の商品のみならず，比較表Ｗ２ａに含まれていない商品を提案商品として抽出し，その提案商品についての自店舗商品情報を追加することもできる。図９に示す提案表Ｗ３には図６に示す比較表Ｗ２ａに含まれていないＴＶ５についての自店舗商品情報が追加されている。たとえば，比較表Ｗ２ａに含まれていない個別商品であって，かつ利用者がプラス評価している仕様についてそれと同等の仕様を持つか，またはそれ以上の仕様（すなわちよりグレードの高い仕様）を持つ商品を提案商品として店舗管理サーバ３によって抽出（選択）し，抽出した商品についての自店舗商品情報が追加することができる。なお，上記のロジックで大量の提案商品が抽出された場合は，比較表Ｗ２ａに含まれる個別商品に類似している（たとえば複数の比較仕様項目の内容が同じである）商品を抽出したり，あるいは，グレードの高すぎる仕様の商品は提案商品から除くようにしてもよい。
【００５９】
さらに店員用画面には店頭端末機６の撮像装置７によって取得された利用者画像Ｗ４が表示される。これにより，たとえば液晶テレビ売り場に複数の利用者がいるとしても，いずれの利用者がどの個別商品をどの店舗でどのような観点（仕様）に着目して比較しているのかを，店員用画面を見ることで店員は把握することができる。提案表Ｗ３には利用者によってまだ検討されていないＴＶ５についての商品情報も表示されるので，その商品を利用者に紹介することができ，商品を購入してもらえるチャンスが広がる。
【００６０】
上述した処理では，利用者端末１が店頭端末機６にかざされることで，店員端末２の表示画面に提案表Ｗ３（図９）が表示される。もちろん，店員端末２を用いた店員による指示を受付け，その指示があったときに店舗管理サーバ３において提案表Ｗ３を作成するようにしてもよい。
【００６１】
たとえば，店頭端末機６によって取得される比較表データおよび利用者画像データを，店舗管理サーバ３の記憶装置に所定時間（たとえば１時間）記憶しておく。そして，店員端末２から店舗管理サーバ３に問い合わせがあったときに，店舗管理サーバ３の記憶装置に記憶されている所定時間内に自店舗を訪問した利用者の利用者画像を一覧に表示する利用者画像一覧画面を作成して店員端末２に送信する。図１０に利用者画像一覧画面Ｗ５の一例を示す。店員端末２に表示される利用者画像一覧画面Ｗ５の中からいずれかの利用者画像が選択されたときに，選択された利用者画像に対応する比較表データを用いて（上述したように，比較表データと利用者画像データは互いに関連づけられる），店舗管理サーバ３によって提案表Ｗ３を表すデータを作成するようにしてもよい。
【００６２】
上述した実施態様では，利用者端末１から読み出される比較表データを店員端末２の表示画面に表示される提案表Ｗ３の作成に利用しているが，複数の利用者の比較表データを記憶装置に記憶して蓄積することで，いずれの商品にどれだけの利用者が興味を持っているかを分析することもできる。
【００６３】
図１１は，複数の利用者の利用者端末１から読み出された比較表データを用いて，所定期間（たとえば一週間）のうちにいずれの個別商品が着目されたか（比較されたか）を一覧に示す棒グラフＷ６を示している。棒グラフは個別商品ごとの比較回数（個別商品に固定されているＩＣタグに利用者端末１が近づけられた回数）を集計したものであり，棒グラフが長いほど，多数の利用者によって比較検討されている商品であることを表している。比較表データは，まだ現実には販売されるには至っていないものの，利用者によって注目されている商品を把握するために用いることができる。なお，棒グラフの作成に用いる比較表データは他店舗商品のみならず，自店舗商品を含むものであってもよく，また棒グラフは自店舗のみのデータを集計したものであってもよい。
【符号の説明】
【００６４】
１  利用者端末
２  店員端末
３  店舗管理サーバ・コンピュータ（店舗管理装置）
３Ａ  商品情報データベース
６  店頭端末機
【図１】
0006799905.tif 000002
【図２】
0006799905.tif 000003
【図３】
0006799905.tif 000004
【図４】
0006799905.tif 000005
【図５】
0006799905.tif 000006
【図６】
0006799905.tif 000007
【図７】
0006799905.tif 000008
【図８】
0006799905.tif 000009
【図９】
0006799905.tif 000010
【図１０】
0006799905.tif 000011
【図１１】
0006799905.tif 000012